【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
１００ミクロンより大きい直径を有し、光信号を伝送する光導波路と、
前記光ファイバからの前記光信号を受け取り、前記光を電気信号へと変換する金属半導体金属（ＭＳＭ）光検出器と、
前記光信号が前記光導波路を出るときに、前記光信号の方向に関してある角度で前記ＭＳＭ光検出器上へと前記光信号を反射する反射器と、
を備え、前記システムが、少なくとも毎秒５００メガビットのデータ転送速度を有するシステム。
【請求項２】
前記システムが、少なくとも毎秒１ギガビットのデータ転送速度を有する、請求項１に記載のシステム。
【請求項３】
前記光導波路が、光ファイバである、請求項１に記載のシステム。
【請求項４】
前記光ファイバが、シリカ・ファイバである、請求項３に記載のシステム。
【請求項５】
前記光ファイバが、ハード・クラッド・シリカ・ファイバである、請求項３に記載のシステム。
【請求項６】
前記光ファイバが、プラスチック光ファイバである、請求項３に記載のシステム。
【請求項７】
前記ＭＳＭ光検出器が、ＧａＡｓ基板を有する、請求項１に記載のシステム。
【請求項８】
前記ＭＳＭ光検出器が、ＩｎＰ基板を有する、請求項１に記載のシステム。
【請求項９】
前記ＭＳＭ光検出器が、ＧａＮ基板、サファイア基板、およびＳｉＣ基板のうちの１つを有する、請求項１に記載のシステム。
【請求項１０】
前記光導波路が、前記ＭＳＭ光検出器の光軸に平行な光軸を有する、請求項１に記載のシステム。
【請求項１１】
前記角度が、９０度である、請求項１に記載のシステム。
【請求項１２】
前記ＭＳＭ光検出器上へ前記光信号を集束させるレンズをさらに備え、前記ＭＳＭＳ光検出器が、前記光導波路の前記直径より小さな直径を有する、請求項１に記載のシステム。
【請求項１３】
前記反射器が、前記光信号を前記ＭＳＭ光検出器上へと集束させ、前記ＭＳＭ光検出器が、前記光導波路の前記直径より小さな直径を有する、請求項１に記載のシステム。
【請求項１４】
前記光導波路が、複数の光導波路のうちの１つのファイバであり、前記ＭＳＭ光検出器が、複数の光検出器のうちの１つのＭＳＭ光検出器であり、各光導波路が、各ＭＳＭ光検出器に関連づけられる、請求項１に記載のシステム。
【請求項１５】
前記光導波路が、３０メートルより短い長さを有する、請求項１に記載のシステム。
【請求項１６】
前記システムが、娯楽システム、コンピュータ・システム、自動車システム、交通システム、貯蔵システム、産業システム、航空システム、マルチメディア・システム、および情報技術システムのうちの１つに関連する、請求項１に記載のシステム。
【請求項１７】
前記システムが、信号プロバイダを受信ユニットに接続する、請求項１に記載のシステム。
【請求項１８】
前記信号プロバイダが、ケーブル・システム、ＤＶＤプレーヤ、ビデオ・カセット・プレーヤ、ＣＤプレーヤ、コントローラ、センサ、通信システム、データ記憶装置、およびマルチプレクサからなる群から選択される、請求項１７に記載のシステム。
【請求項１９】
前記受信ユニットが、ステレオ・システム、テレビジョン、コンピュータ、携帯型情報端末、ゲーム・システム、電話、家庭用電気製品、ディスプレイ画面、制御システム、デマルチプレクサ、およびデジタル・レコーダからなる群から選択される、請求項１７に記載のシステム。
【請求項２０】
前記光導波路が、１００ミクロン、２００ミクロン、４００ミクロン、８００ミクロン、および１０００ミクロンのうちの１つの直径を有する、請求項１に記載のシステム。
【請求項２１】
前記光導波路が、１００〜１０００ミクロンの間の直径を有する、請求項１に記載のシステム。
【請求項２２】
前記ＭＳＭ光検出器を取り付ける基板をさらに備える、請求項１に記載のシステム。
【請求項２３】
前記基板が、プリント回路基板、リード・フレーム基板、ＲＦセラミック基板、およびシリコン基板のうちの１つである、請求項２２に記載のシステム。
【請求項２４】
１００ミクロンより大きい直径を有する光導波路に搬送される、時間の一部分について少なくとも毎秒５００メガビットのデータ転送速度を有する光信号を提供する送信器と、
金属半導体金属（ＭＳＭ）光検出器を備え、前記光信号を受け取り、前記光信号を電気信号へと変換する受信器と、
前記光信号が前記光導波路を出るときに、前記光信号の方向に関してある角度で前記ＭＳＭ光検出器上へと前記光信号を反射する反射器と、
前記受信器を前記光導波路に結合するコネクタと、
を備えるデータ伝送システム。
【請求項２５】
前記システムが、少なくとも毎秒１ギガビットのデータ転送速度を有する、請求項２４に記載のシステム。
【請求項２６】
前記光導波路が、光ファイバである、請求項２４に記載のシステム。
【請求項２７】
前記光ファイバが、シリカ・ファイバである、請求項２６に記載のシステム。
【請求項２８】
前記光ファイバが、ハード・クラッド・シリカ・ファイバである、請求項２６に記載のシステム。
【請求項２９】
前記光ファイバが、プラスチック光ファイバである、請求項２６に記載のシステム。
【請求項３０】
前記ＭＳＭ光検出器上に前記光信号を集束させるレンズをさらに備え、前記ＭＳＭ光検出器が、前記光導波路の前記直径よりも小さな直径を有する、請求項２４に記載のシステム。
【請求項３１】
前記光導波路が、前記ＭＳＭ光検出器の光軸に平行な光軸を有する、請求項２４に記載のシステム。
【請求項３２】
前記角度が、９０度である、請求項２４に記載のシステム。
【請求項３３】
前記反射器が、前記光信号を前記ＭＳＭ光検出器上へと集束させ、前記ＭＳＭ光検出器が、前記光導波路の前記直径より小さな直径を有する、請求項２４に記載のシステム。
【請求項３４】
前記光導波路が、複数の光導波路のうちの１つのファイバであり、前記ＭＳＭ光検出器が、複数の光検出器のうちの１つのＭＳＭ光検出器であり、各光導波路が、各ＭＳＭ光検出器に関連づけられる、請求項２４に記載のシステム。
【請求項３５】
前記光導波路が、３０メートルより短い長さを有する、請求項２４に記載のシステム。
【請求項３６】
前記システムが、娯楽システム、コンピュータ・システム、自動車システム、交通システム、貯蔵システム、産業システム、航空システム、マルチメディア・システム、および情報技術システムのうちの１つに関連する、請求項２４に記載のシステム。
【請求項３７】
前記送信器が、ケーブル・システム、ＤＶＤプレーヤ、ビデオ・カセット・プレーヤ、ＣＤプレーヤ、コントローラ、センサ、通信システム、データ記憶装置、およびマルチプレクサからなる群から選択される、請求項２４に記載のシステム。
【請求項３８】
前記受信器が、ステレオ・システム、テレビジョン、コンピュータ、携帯型情報端末、ゲーム・システム、電話、家庭用電気製品、ディスプレイ画面、制御システム、デマルチプレクサ、およびデジタル・レコーダからなる群から選択される、請求項２４に記載のシステム。
【請求項３９】
前記光導波路が、１００ミクロン、２００ミクロン、４００ミクロン、８００ミクロン、および１０００ミクロンのうちの１つの直径を有する、請求項２４に記載のシステム。
【請求項４０】
前記光導波路が、１００〜１０００ミクロンの直径を有する、請求項２４に記載のシステム。
【請求項４１】
前記ＭＳＭ光検出器を取り付ける基板をさらに備える、請求項２４に記載のシステム。
【請求項４２】
前記基板が、プリント回路基板、リード・フレーム基板、ＲＦセラミック基板、およびシリコン基板のうちの１つである、請求項４１に記載のシステム。
【請求項４３】
１００ミクロンより大きい直径を有しており、時間の一部分について少なくとも毎秒５００メガビットのデータ転送速度を有する光信号を搬送する光導波路を受けるためのポートと、
前記光ファイバからの前記光信号を受け取り、前記光を電気信号に変換する金属半導体金属（ＭＳＭ）光検出器のための支持物と、
前記光信号が前記光導波路を出るときに、前記光信号の方向に関してある角度で前記ＭＳＭ光検出器上へと前記光信号を反射する反射器と、
を備えるコネクタ。
【請求項４４】
前記光導波路が、光ファイバである、請求項４３に記載のコネクタ。
【請求項４５】
前記光ファイバが、シリカ・ファイバである、請求項４４に記載のコネクタ。
【請求項４６】
前記光ファイバが、ハード・クラッド・シリカ・ファイバである、請求項４４に記載のコネクタ。
【請求項４７】
前記光ファイバが、プラスチック光ファイバである、請求項４４に記載のコネクタ。
【請求項４８】
前記ＭＳＭ光検出器上に前記光信号を集束させるレンズをさらに備え、前記ＭＳＭ光検出器が、前記光導波路の前記直径よりも小さな直径を有する、請求項４３に記載のコネクタ。
【請求項４９】
前記光導波路が、前記ＭＳＭ光検出器の光軸に平行な光軸を有する、請求項４３に記載のコネクタ。
【請求項５０】
前記角度が、９０度である、請求項４３に記載のコネクタ。
【請求項５１】
前記反射器が、前記光信号を前記ＭＳＭ光検出器上へと集束させ、前記ＭＳＭ光検出器が、前記光導波路の前記直径より小さな直径を有する、請求項４３に記載のコネクタ。
【請求項５２】
前記光導波路が、複数の光導波路のうちの１つのファイバであり、前記ＭＳＭ光検出器が、複数の光検出器のうちの１つのＭＳＭ光検出器であり、各光導波路が、各ＭＳＭ光検出器に関連づけられる、請求項４３に記載のコネクタ。
【請求項５３】
前記光導波路が、３０メートルより短い長さを有する、請求項４３に記載のコネクタ。
【請求項５４】
前記システムが、娯楽システム、コンピュータ・システム、自動車システム、交通システム、貯蔵システム、産業システム、航空システム、マルチメディア・システム、および情報技術システムのうちの１つに関連する、請求項４３に記載のコネクタ。
【請求項５５】
前記コネクタが、信号プロバイダを受信ユニットに接続する、請求項４３に記載のコネクタ。
【請求項５６】
前記信号プロバイダが、ケーブル・システム、ＤＶＤプレーヤ、ビデオ・カセット・プレーヤ、ＣＤプレーヤ、コントローラ、センサ、通信システム、データ記憶装置、およびマルチプレクサからなる群から選択される、請求項５５に記載のコネクタ。
【請求項５７】
前記受信ユニットが、ステレオ・システム、テレビジョン、コンピュータ、携帯型情報端末、ゲーム・システム、電話、家庭用電気製品、ディスプレイ画面、制御システム、デマルチプレクサ、およびデジタル・レコーダからなる群から選択される、請求項５５に記載のコネクタ。
【請求項５８】
前記光導波路が、１００ミクロン、２００ミクロン、４００ミクロン、８００ミクロン、および１０００ミクロンのうちの１つの直径を有する、請求項４３に記載のコネクタ。
【請求項５９】
前記光導波路が、１００〜１０００ミクロンの直径を有する、請求項４３に記載のコネクタ。
【請求項６０】
前記支持物が、前記ＭＳＭ光検出器を取り付ける基板である、請求項４３に記載のコネクタ。
【請求項６１】
前記基板が、プリント回路基板、リード・フレーム基板、ＲＦセラミック基板、およびシリコン基板のうちの１つである、請求項６０に記載のコネクタ。